(57)【要約】【課題】通信ネットワークにおいて複数の回線のトラフィックが同一装置を経由している場合における回線毎の消費電力を算出し、および複数のＶＬＡＮトラフィックが同一装置を経由している場合におけるＶＬＡＮ毎の消費電力を算出する。【解決手段】通信ネットワーク消費電力計算装置は、ネットワーク内の各装置の消費電力を含む装置情報、および各装置の回線情報またはＶＬＡＮ情報を取得する通信部と、前記装置が複数の回線または複数のＶＬＡＮを収容している場合、前記装置の消費電力を該複数の回線または該複数のＶＬＡＮに分配することで回線毎またはＶＬＡＮ毎の消費電力を算出する消費電力量計算手段とを備える。【選択図】図２
2012119733.tif 000002
【特許請求の範囲】
【請求項１】
ネットワーク内の各装置の消費電力を含む装置情報、および各装置の回線情報またはＶＬＡＮ情報を取得する通信部と、
前記装置が複数の回線または複数のＶＬＡＮを収容している場合、前記装置の消費電力を該複数の回線または該複数のＶＬＡＮに分配することで回線毎またはＶＬＡＮ毎の消費電力を算出する消費電力量計算手段と、
を備えることを特徴とする通信ネットワーク消費電力計算装置。
【請求項２】
前記消費電力量計算手段は、
対象回線が使用している装置または対象ＶＬＡＮが所属している装置を抽出し、該装置の消費電力を該回線の予約帯域または該ＶＬＡＮの保証帯域に応じて、対象回線または対象ＶＬＡＮに分配し、分配された各装置の消費電力の和を、対象回線または対象ＶＬＡＮの消費電力とすることを特徴とする請求項１に記載の通信ネットワーク消費電力計算装置。
【請求項３】
前記各装置の消費電力を含む装置情報、および各装置の回線情報またはＶＬＡＮ情報を保持する保持手段と、
前記回線毎またはＶＬＡＮ毎の消費電力を出力する出力手段と、
をさらに備えていることを特徴とする請求項１または２に記載の通信ネットワーク消費電力計算装置。
【請求項４】
前記消費電力量計算手段は、
対象回線が使用している装置にレイヤ１伝送装置がない場合、
レイヤ３装置の消費電力を、装置の消費電力×（対象回線の予約帯域／装置に収容されている各回線の予約帯域の和）で求め、
対象回線が使用している装置にレイヤ１伝送装置がある場合、
レイヤ３装置の消費電力を、装置の消費電力×（対象回線の予約帯域／装置に収容されている各回線の予約帯域の和）で求め、
レイヤ１伝送装置の消費電力を、装置の消費電力×（１／レイヤ１伝送装置のライン側インタフェース数）×（対象回線の予約帯域／ライン側インタフェース伝送速度）、または装置の消費電力×（対象回線が収容されているインタフェース速度／レイヤ１伝送装置の全てのライン側インタフェース速度の和）×（対象回線の予約帯域／ライン側インタフェース伝送速度）で求め、
中継器の消費電力を、装置の消費電力×（１／波長数）×（対象回線の予約帯域／ライン側インタフェース伝送速度）で求めることを特徴とする請求項１から３のいずれか１項に記載の通信ネットワーク消費電力計算装置。
【請求項５】
前記消費電力量計算手段は、
対象ＶＬＡＮが所属している装置にレイヤ１伝送装置がない場合、
レイヤ２装置の消費電力を、装置の消費電力×（対象ＶＬＡＮの保証帯域／装置の全インタフェースの帯域の合計）で求め、
対象ＶＬＡＮが所属している装置にレイヤ１伝送装置がある場合、
レイヤ２装置の消費電力を、装置の消費電力×使用インタフェース数×（対象ＶＬＡＮの保証帯域／装置の全インタフェースの帯域の合計）で求め、
レイヤ１伝送装置の消費電力を、装置の消費電力×（１／レイヤ１伝送装置のライン側インタフェース数）×（対象ＶＬＡＮ保証帯域／ライン側インタフェース伝送速度）、または装置の消費電力×（対象ＶＬＡＮが収容されているインタフェース速度／レイヤ１伝送装置の全てのライン側インタフェース速度の和）×（対象ＶＬＡＮ保証帯域／ライン側インタフェース伝送速度）で求め、
中継器の消費電力を、装置の消費電力×（１／波長数）×（対象ＶＬＡＮ保証帯域／ライン側インタフェース伝送速度）で求めることを特徴とする請求項１から３のいずれか１項に記載の通信ネットワーク消費電力計算装置。
【請求項６】
ネットワーク内の各装置の消費電力を含む装置情報、および各装置の回線情報またはＶＬＡＮ情報を取得するステップと、
前記装置が複数の回線または複数のＶＬＡＮを収容している場合、前記装置の消費電力を該複数の回線または該複数のＶＬＡＮに分配することで回線毎またはＶＬＡＮ毎の消費電力を算出するステップと、
を含むことを特徴とする通信ネットワーク消費電力計算方法。
【発明の詳細な説明】
【技術分野】
【０００１】
本発明は、通信ネットワーク自体の消費電力量算出において、ネットワーク回線毎、およびＶＬＡＮ（Virtual Local Area Network）毎の消費電力を算出する消費電力計算装置および計算方法に関する。
【背景技術】
【０００２】
インターネットやブロードバンドサービスの普及に伴うトラフィック量の増加と共に、通信ネットワークを構成するルータやスイッチ等の情報通信機器が消費するエネルギー量も上昇の一途をたどっている。そのため、情報通信分野における省電力化技術の研究開発が進められている。その一環として、通信ネットワーク自体の電力消費量削減を目指した研究開発が進められている（非特許文献１）。省電力化技術の研究開発にあたって、現状の消費電力量を把握することは、省電力化への対応策を立てる上での一助になる。通信ネットワーク自体の消費電力量の算出は、通信ネットワークを構成しているルータ、スイッチ、伝送装置などの消費電力量を積み上げることで対応可能である。
【先行技術文献】
【非特許文献】
【０００３】
【非特許文献１】吉兼昇、田中英明、“通信ネットワークの省電力化技術動向”2009年電子情報通信学会ソサイエティ大会  BP-4-3
【非特許文献２】IEEE Standardfor Local and metropolitan area networks -Port-Based network Access Control-Feb.5 2010.
【発明の概要】
【発明が解決しようとする課題】
【０００４】
しかしながら、通信ネットワークにおける回線毎、およびＶＬＡＮ（非特許文献２）毎の消費電力量は、ネットワーク機器の消費電力量を積み上げるだけでは算出できないという課題がある。その理由として、各回線、および、各ＶＬＡＮはひとつのネットワークインフラストラクチャを複数のユーザで共有することがあげられる。例えば、通信ネットワークにおける回線設定の観点からみると、各回線は、アクセスネットワーク、メトロネットワーク、コアネットワークという具合に進むにつれて、複数の回線が束ねられて、ひとつのネットワークインフラストラクチャを複数のユーザで共有することになる。また、ＶＬＡＮ技術により、ひとつのネットワークインフラストラクチャを仮想的に任意に分割することが可能となり、ネットワークインフラストラクチャを複数のユーザで共有することが可能となる。
【０００５】
したがって、本発明は、通信ネットワークにおいて複数の回線のトラフィックが同一装置を経由している場合における回線毎の消費電力を算出し、および複数のＶＬＡＮトラフィックが同一装置を経由している場合におけるＶＬＡＮ毎の消費電力を算出する通信ネットワーク消費電力計算装置および計算方法を提供することを目的とする。
【課題を解決するための手段】
【０００６】
上記目的を実現するため本発明による通信ネットワーク消費電力計算装置は、ネットワーク内の各装置の消費電力を含む装置情報、および各装置の回線情報またはＶＬＡＮ情報を取得する通信部と、前記装置が複数の回線または複数のＶＬＡＮを収容している場合、前記装置の消費電力を該複数の回線または該複数のＶＬＡＮに分配することで回線毎またはＶＬＡＮ毎の消費電力を算出する消費電力量計算手段とを備える。
【０００７】
また、前記消費電力量計算手段は、対象回線が使用している装置または対象ＶＬＡＮが所属している装置を抽出し、該装置の消費電力を該回線の予約帯域または該ＶＬＡＮの保証帯域に応じて、対象回線または対象ＶＬＡＮに分配し、分配された各装置の消費電力の和を、対象回線または対象ＶＬＡＮの消費電力とすることも好ましい。
【０００８】
また、前記各装置の消費電力を含む装置情報、および各装置の回線情報またはＶＬＡＮ情報を保持する保持手段と、前記回線毎またはＶＬＡＮ毎の消費電力を出力する出力手段とをさらに備えていることも好ましい。
【０００９】
また、前記消費電力量計算手段は、対象回線が使用している装置にレイヤ１伝送装置がない場合、レイヤ３装置の消費電力を、装置の消費電力×（対象回線の予約帯域／装置に収容されている各回線の予約帯域の和）で求め、対象回線が使用している装置にレイヤ１伝送装置がある場合、レイヤ３装置の消費電力を、装置の消費電力×（対象回線の予約帯域／装置に収容されている各回線の予約帯域の和）で求め、レイヤ１伝送装置の消費電力を、装置の消費電力×（１／レイヤ１伝送装置のライン側インタフェース数）×（対象回線の予約帯域／ライン側インタフェース伝送速度）、または装置の消費電力×（対象回線が収容されているインタフェース速度／レイヤ１伝送装置の全てのライン側インタフェース速度の和）×（対象回線の予約帯域／ライン側インタフェース伝送速度）で求め、中継器の消費電力を、装置の消費電力×（１／波長数）×（対象回線の予約帯域／ライン側インタフェース伝送速度）で求めることも好ましい。
【００１０】
また、前記消費電力量計算手段は、対象ＶＬＡＮが所属している装置にレイヤ１伝送装置がない場合、レイヤ２装置の消費電力を、装置の消費電力×（対象ＶＬＡＮの保証帯域／装置の全インタフェースの帯域の合計）で求め、対象ＶＬＡＮが所属している装置にレイヤ１伝送装置がある場合、レイヤ２装置の消費電力を、装置の消費電力×使用インタフェース数×（対象ＶＬＡＮの保証帯域／装置の全インタフェースの帯域の合計）で求め、レイヤ１伝送装置の消費電力を、装置の消費電力×（１／レイヤ１伝送装置のライン側インタフェース数）×（対象ＶＬＡＮ保証帯域／ライン側インタフェース伝送速度）、または装置の消費電力×（対象ＶＬＡＮが収容されているインタフェース速度／レイヤ１伝送装置の全てのライン側インタフェース速度の和）×（対象ＶＬＡＮ保証帯域／ライン側インタフェース伝送速度）で求め、中継器の消費電力を、装置の消費電力×（１／波長数）×（対象ＶＬＡＮ保証帯域／ライン側インタフェース伝送速度）で求めることも好ましい。
【００１１】
上記目的を実現するため本発明による通信ネットワーク消費電力計算方法は、  ネットワーク内の各装置の消費電力を含む装置情報、および各装置の回線情報またはＶＬＡＮ情報を取得するステップと、前記装置が複数の回線または複数のＶＬＡＮを収容している場合、前記装置の消費電力を該複数の回線または該複数のＶＬＡＮに分配することで回線毎またはＶＬＡＮ毎の消費電力を算出するステップとを含む。
【発明の効果】
【００１２】
本発明により、通信ネットワークにおいて複数の回線のトラフィックが同一装置を経由している場合、その装置の消費電力を複数の回線に分配することで回線毎の消費電力を算出し、複数のＶＬＡＮトラフィックが同一装置を経由している場合、その装置の消費電力を複数のＶＬＡＮに分配することでＶＬＡＮ毎の消費電力を算出することが可能となる。
【図面の簡単な説明】
【００１３】
【図１】本発明の消費電力計算装置の構成を示す。
【図２】回線毎の消費電力量の計算手順を示す。
【図３】ＶＬＡＮ毎の消費電力量の計算手順を示す。
【図４】ルータとＷＤＭ伝送装置から構成されているネットワーク構成例を示す。
【図５】レイヤ２スイッチとＷＤＭ装置から構成されているネットワーク構成例を示す。
【発明を実施するための形態】
【００１４】
本発明を実施するための最良の実施形態について、以下では図面を用いて詳細に説明する。図１は、本発明の消費電力計算装置の構成を示す。本装置は、通信部１、ネットワーク情報保持部２、消費電力計算部３、計算結果出力部４から構成される。
【００１５】
通信部１では、ネットワーク運用管理システムと通信を行い、ネットワーク情報を取得する。ここで、ネットワーク情報としては、ネットワーク構成情報、各装置情報（装置種別（レイヤ３装置、レイヤ２装置、レイヤ１伝送装置）、各装置の消費電力、各インタフェース速度情報）、回線情報（回線経路、予約帯域）、ＶＬＡＮ情報（各ＶＬＡＮが使用する装置、使用するインタフェース、保証帯域）である。
【００１６】
ネットワーク情報保持部２は、ネットワーク運用管理システムから取得した情報を保持する。また、ネットワーク運用管理装置に各装置の消費電力情報がない場合には、ネットワークで使用されている各装置の消費電力情報をここで入力する。
【００１７】
消費電力量計算部３では、回線毎、およびＶＬＡＮ毎のネットワーク消費電力量を計算する。計算時に、回線の消費電力量計算、もしくはＶＬＡＮの消費電力量の計算を実行するかを選択する。
【００１８】
計算結果出力部４では、上述の計算結果を出力する。
【００１９】
次に本装置における、消費電力量の計算方法について説明する。ここでは、レイヤ３装置（ルータ）、およびレイヤ１伝送装置から構成されるネットワークにおいて、回線毎の消費電力量を算出する手順を説明する。図２は、回線毎の消費電力量の計算手順を示す。以下、本手順について説明する。
【００２０】
（Ｓ１）開始：計算を開始する。
（Ｓ２）ネットワーク情報取得：ネットワーク運用管理システムから、ネットワーク情報を取得する。取得した情報をネットワーク情報保持部に保存する。
（Ｓ３）エラー：ネットワーク情報を取得できなかった場合はエラーとする。その後、終了とする。
（Ｓ４）対象回線選択：計算対象とする回線を選択する。
（Ｓ５）対象回線使用装置抽出：ネットワーク情報を基にして、選択した回線が回線経路として使用している通信装置を抽出する。この時、抽出すべき通信装置がない場合にはエラーとし、その後、終了とする。
（Ｓ６）伝送装置の有無：上記Ｓ５において抽出した通信装置に、レイヤ１伝送装置が含まれているか確認する。
（Ｓ７）消費電力計算：レイヤ１伝送装置がない場合における、各回線の消費電力量の計算を行う。複数の回線のトラフィックが同一装置を経由している場合、その装置の消費電力を複数の回線に分配する。ここで、レイヤ３装置の消費電力を下記のように計算する。
・各装置における各回線の消費電力＝装置の消費電力×（対象回線の予約帯域／装置に収容されている各回線の予約帯域の和）
上記で求められた各装置消費電力の和をとることで、各回線の消費電力量を算出する。
ここで、ある回線の消費電力をＰｃｉｒｃｕｉｔ（ｉ）（ｉは整数）とすると、
【数１】
2012119733.tif 000003
となる。ただし、各装置における、対象とする回線の消費電力をＰｅｑｕｉｐｍｅｎｔ（ｋ）、ｋは計算対象となる装置数（１〜ｎ：ｎは整数）とする。
（Ｓ８）消費電力計算：レイヤ１伝送装置がある場合における、各回線の消費電力量の計算を行う。
複数の回線のトラフィックが同一装置を経由している場合、その装置の消費電力を複数の回線に分配する。ここで、レイヤ３装置、およびレイヤ１伝送装置の消費電力を下記のように計算する。
・レイヤ３装置について：各装置における各回線の消費電力＝装置の消費電力×（対象回線の予約帯域／装置に収容されている各回線の予約帯域の和）
ここで、ある回線のあるレイヤ３装置の消費電力をＰＬ３＿ｃｉｒｃｕｉｔ（ｉ）（ｉは整数）とすると、
【数２】
2012119733.tif 000004
となる。ただし、各レイヤ３装置における対象とする回線の消費電力をＰＬ３＿ｅｑｕｉｐｍｅｎｔ（ｋ）、ｋは計算対象となる装置数（１〜ｍ：ｍは整数）とする。
・レイヤ１伝送装置の消費電力について：
（１）レイヤ１伝送装置の全てのライン側インタフェースの伝送速度が同一の場合
各装置における各回線の消費電力＝レイヤ１伝送装置の消費電力×（１／レイヤ１伝送装置のライン側インタフェース数）×（対象回線の予約帯域／ライン側インタフェース伝送速度）
（２）レイヤ１伝送装置のライン側インタフェースの伝送速度が異なる場合
各装置における各回線の消費電力＝レイヤ１伝送装置の消費電力×（対象回線が収容されているインタフェース速度／レイヤ１伝送装置の全てのライン側インタフェース速度の和）×（対象回線の予約帯域／ライン側インタフェース伝送速度）
ここで、上述の（１）もしくは（２）の場合において、ある回線のあるレイヤ１伝送装置の消費電力をＰＬ１＿ｃｉｒｃｕｉｔ（ｉ）（ｉは整数）とすると、
【数３】
2012119733.tif 000005
となる。ただし、各レイヤ１装置における対象とする回線の消費電力をＰＬ１＿ｅｑｕｉｐｍｅｎｔ（ｊ）、ｊは計算対象となる装置数（１〜ｎ：ｎは整数）とする。
・伝送路の中継器の消費電力について：
（１）中継器がない場合
消費電力を考慮しない。
（２）中継器がある場合
中継器電力＝伝送区間の全ての中継器の消費電力×（１／波長数）×（対象回線の予約帯域／ライン側インタフェース伝送速度）
ここで、ある回線の中継器の消費電力を、Ｐｒｅｐｅａｔｅｒ（ｉ）とする。ただし、中継器がない場合は、Ｐｒｅｐｅａｔｅｒ（ｉ）＝０とする。
上記で求められた各装置消費電力の和をとることで、各回線の消費電力量を算出する。すなわち、ここで、ある回線の消費電力をＰｃｉｒｃｕｉｔ（ｉ）（ｉは整数）とすると、
【数４】
2012119733.tif 000006
となる。
（Ｓ９）計算結果出力：上記で得られた計算結果を出力する。
（Ｓ１０）終了
【００２１】
ここでは、レイヤ２装置（スイッチ）、およびレイヤ１伝送装置から構成されるネットワークにおいて、ＶＬＡＮ毎の消費電力量を算出する手順を説明する。図３は、ＶＬＡＮ毎の消費電力量の計算手順を示す。以下、本手順について説明する。
（Ｓ１）開始：計算を開始する。
（Ｓ２）ネットワーク情報取得：ネットワーク運用管理システムから、ネットワーク情報を取得する。取得した情報をネットワーク情報保持部に保存する。
（Ｓ３）エラー：ネットワーク情報が取得できなかった場合はエラーとする。その後、終了とする。
（Ｓ４）対象ＶＬＡＮ選択：計算対象とするＶＬＡＮを選択する。
（Ｓ５）対象ＶＬＡＮ使用装置抽出：ネットワーク情報を基にして、選択されたＶＬＡＮに所属している通信装置を抽出する。この時、抽出すべき通信装置がない場合にはエラーとし、その後、終了とする。
（Ｓ６）レイヤ１伝送装置の有無：上記Ｓ５において抽出した通信装置に、レイヤ１伝送装置が含まれているか確認する。
（Ｓ７）消費電力計算：レイヤ１伝送装置がない場合における、ＶＬＡＮ毎の消費電力量の計算を行う。複数のＶＬＡＮトラフィックが同一装置を経由している場合、その装置の消費電力を複数のＶＬＡＮに分配する。ここで、各ＶＬＡＮに所属する装置の消費電力を下記のように計算する。
・各ＶＬＡＮに所属する装置の消費電力＝装置の消費電力×（対象ＶＬＡＮの保証帯域／装置の全インタフェースの帯域の合計）
上記で求められた各ＶＬＡＮの各装置消費電力の和をとることで、各ＶＬＡＮの消費電力量を算出する。ここで、あるＶＬＡＮの消費電力をＰｖｌａｎ（ｉ）（ｉは整数）とすると、
【数５】
2012119733.tif 000007
となる。ただし、各装置における対象とするＶＬＡＮの消費電力をＰｅｑｕｉｐｍｅｎｔ（ｋ）、ｋは計算対象となる装置数（１〜ｎ：ｎは整数）とする。
（Ｓ８）消費電力計算：レイヤ１伝送装置がある場合における、ＶＬＡＮ毎の消費電力量の計算を行う。
複数のＶＬＡＮトラフィックが同一装置を経由している場合、その装置の消費電力を複数のＶＬＡＮに分配する。ここで、レイヤ２装置、およびレイヤ１伝送装置の消費電力を下記のように計算する。
・レイヤ２装置の消費電力について：
各ＶＬＡＮに所属する装置の消費電力＝装置消費電力×使用インタフェース数×（対象ＶＬＡＮの保証帯域／装置の全インタフェースの帯域の合計）
ここで、対象とするＶＬＡＮに所属するあるレイヤ２装置の消費電力をＰＬ２＿ｖｌａｎ（ｉ）（ｉは整数）とすると、
【数６】
2012119733.tif 000008
となる。ただし、各レイヤ２装置における対象とするＶＬＡＮの消費電力をＰＬ２＿ｅｑｕｉｐｍｅｎｔ（ｋ）、ｋは計算対象となる装置数（１〜ｍ：ｍは整数）とする。
・レイヤ１伝送装置の消費電力について：
（１）レイヤ１伝送装置の全てのライン側インタフェースの伝送速度が同一の場合
各ＶＬＡＮに所属する装置の消費電力＝レイヤ１伝送装置の消費電力×（１／レイヤ１伝送装置のライン側インタフェース数）×（対象ＶＬＡＮ保証帯域／ライン側インタフェース伝送速度）
（２）レイヤ１伝送装置のライン側インタフェースの伝送速度が異なる場合
各ＶＬＡＮに所属する装置の消費電力＝レイヤ１伝送装置の消費電力×（対象ＶＬＡＮが収容されているインタフェース速度／レイヤ１伝送装置の全てのライン側インタフェース速度の和）×（対象ＶＬＡＮ保証帯域／ライン側インタフェース伝送速度）
ここで、上述の（１）もしくは（２）の場合において、あるＶＬＡＮのあるレイヤ１伝送装置の消費電力をＰＬ１＿ｖｌａｎ（ｉ）（ｉは整数）とすると、
【数７】
2012119733.tif 000009
となる。ただし、各レイヤ１装置における対象とするＶＬＡＮの消費電力をＰＬ１＿ｅｑｕｉｐｍｅｎｔ（ｊ）、ｊは計算対象となる装置数（１〜ｎ：ｎは整数）とする。
・伝送路の中継器の消費電力について：
（１）中継器がない場合
消費電力を考慮しない。
（２）中継器がある場合
中継器電力＝伝送区間の全ての中継器の消費電力×（１／波長数）×（対象ＶＬＡＮ保証帯域／ライン側インタフェース伝送速度）
ここで、ある回線の中継器の消費電力を、Ｐｒｅｐｅａｔｅｒ（ｉ）とする。ただし、中継器がない場合は、Ｐｒｅｐｅａｔｅｒ（ｉ）＝０とする。
各ＶＬＡＮについて、上記で求められた装置消費電力の和をとることで、各ＶＬＡＮの消費電力量を算出する。すなわち、ここで、あるＶＬＡＮの消費電力をＰｖｌａｎ（ｉ）（ｉは整数）とすると、
【数８】
2012119733.tif 000010
となる。
（Ｓ９）計算結果出力：上記で得られた計算結果を出力する。
（Ｓ１０）終了
【００２２】
（実施例1）
レイヤ３装置（ルータ）、およびレイヤ１伝送装置としてＷＤＭ（Wavelength Division Multiplexing）伝送装置から構成されるネットワークにおいて、回線毎の消費電力量を算出する例を説明する。
【００２３】
図４にネットワーク構成例を示す。本例のネットワークは、ルータとＷＤＭ伝送装置から構成されている。ここで、回線１〜６が表１のように設定されており、装置の設定は表２〜４のようにされているとする。
【００２４】
【表１】
2012119733.tif 000011
表１は、回線設定を示す。回線１は、予約帯域が１Ｇｂｐｓであり、回線経路は、ルータ１からルータ２を経由してルータ３となっている。回線２は予約帯域が５００Ｍｂｐｓであり、回線経路は、ルータ１からルータ２を経由してルータ３となっている。回線３は、予約帯域が１００Ｍｂｐｓであり、回線経路は、ルータ１からルータ２となっている。回線４と５は、予約帯域が１Ｇｂｐｓであり、回線経路は、ルータ１からルータ２となっている。回線６は、予約帯域が１０Ｇｂｐｓであり、回線経路は、ルータ１からルータ２を経由してルータ３となっている。
【００２５】
【表２】
2012119733.tif 000012
表２は、ルータ装置の設定を示す。ルータ１が収容している回線は１〜６であり、装置消費電力は６０００Ｗである。ルータ２はルータ１と同様である。ルータ３は、回線１、２、６を収容しており、装置消費電力は他のルータと同様に６０００Ｗである。
【００２６】
【表３】
2012119733.tif 000013
表３は、ＷＤＭ装置の設定を示す。ＷＤＭ１は、回線１〜３、４〜５、および６を収容するために使用しているインタフェースがそれぞれ１、２、３である。ＷＤＭ２の設定はＷＤＭ１の設定と同様になっている。ＷＤＭ３は、回線１と２を収容するために使用しているインタフェースが１であり、回線６を収容しているインタフェースが２である。また、各ＷＤＭ装置の全インタフェース数は４０である。ここで、各インタフェースの伝送速度は１０Ｇｂｐｓで同一である。
【００２７】
【表４】
2012119733.tif 000014
表４は、中継器の設定を示す。伝送区間１の中継器電力は２００Ｗであり、伝送区間２の中継器電力は３００Ｗである。
【００２８】
上述の設定情報を用いて、回線１の消費電力を、図２の回線毎の消費電力量の算出の手順に従って算出する。
・回線１の消費電力の算出について
（Ｓ１）開始：計算を開始する。
（Ｓ２）ネットワーク情報取得：ネットワーク運用管理システムから、ネットワーク情報を取得する。ここでは、表１〜４の情報を取得する。
（Ｓ４）対象回線選択：計算対象として回線１を選択する。
（Ｓ５）対象回線使用装置抽出：選択した回線が、回線経路として使用している通信装置を抽出する。ここでは、表１〜３の情報から、回線１が回線経路として使用している装置として、ルータ１〜３、およびＷＤＭ伝送装置１〜３が抽出される。
（Ｓ６）伝送装置の有無：上記において抽出した通信装置に、ＷＤＭ伝送装置が含まれていることを確認できたため、次のステップの消費電力の計算は、ＷＤＭ伝送装置を考慮した計算とする。
（Ｓ８）消費電力計算：ＷＤＭ伝送装置がある場合における、各回線の消費電力量の計算を行う。
ルータ装置の消費電力について：
ルータ１について回線１の消費電力＝６０００Ｗ×（１Ｇｂｐｓ／（１＋０．５＋０．１＋１＋１＋１０）Ｇｂｐｓ）＝４４１．２Ｗ
ルータ２について回線１の消費電力＝６０００Ｗ×（１Ｇｂｐｓ／（１＋０．５＋０．１＋１＋１＋１０）Ｇｂｐｓ）＝４４１．２Ｗ
ルータ３について回線１の消費電力＝６０００Ｗ×（１Ｇｂｐｓ／（１＋０．５＋１０）Ｇｂｐｓ）＝５２１．７Ｗ
【００２９】
ＷＤＭ伝送装置の消費電力について：ここでは、ＷＤＭ伝送装置の全てのライン側インタフェースの伝送速度は同一である。
ＷＤＭ１について回線１の消費電力＝３０００Ｗ×（１／４０）×（１Ｇｂｐｓ／１０Ｇｂｐｓ）＝７．５Ｗ
ＷＤＭ２について回線１の消費電力＝３０００Ｗ×（１／４０）×（１Ｇｂｐｓ／１０Ｇｂｐｓ）＝７．５Ｗ
ＷＤＭ３について回線１の消費電力＝３０００Ｗ×（１／４０）×（１Ｇｂｐｓ／１０Ｇｂｐｓ）＝７．５Ｗ
【００３０】
伝送路の中継器の消費電力について：
伝送区間１の中継器電力＝２００Ｗ×（１／４０）×（１／１０）＝０．５Ｗ
伝送区間２の中継器電力＝３００Ｗ×（１／４０）×（１／１０）＝０．７５Ｗ
【００３１】
ここで、上記で求められた各装置消費電力、中継器の消費電力の和をとると、以下のようになる。
回線１の消費電力＝４４１．２＋４４１．２＋５２１．７＋７．５＋７．５＋７．５＋０．５＋０．７５＝１４２７．８５Ｗ
【００３２】
（Ｓ９）計算結果出力：上記で得られた計算結果を出力する。
（Ｓ１０）終了
【００３３】
（実施例２）
レイヤ２スイッチ、およびレイヤ１伝送装置としてＷＤＭ伝送装置から構成されるネットワークにおいて、ＶＬＡＮ毎の消費電力量を算出する例を説明する。
【００３４】
図５にネットワーク構成例を示す。本例のネットワークは、レイヤ２スイッチとＷＤＭ装置から構成されている。ここで、ＶＬＡＮ１〜４が表５のように設定されており、各装置の設定は表６、表７のようにされているとする。なお、各スイッチとＷＤＭ装置には、インタフェース番号が付与されている。
【００３５】
【表５】
2012119733.tif 000015
表５には、各ＶＬＡＮが使用するレイヤ２スイッチ、および保証帯域が記載されている。
【００３６】
【表６】
2012119733.tif 000016
備考：表の「−」は使用インタフェースがないことを示す。
表６には、レイヤ２スイッチの設定が記載されている。各スイッチが有するインタフェース数、インタフェースの帯域（ここで、各スイッチのインタフェース帯域は全て同一である。）、各ＶＬＡＮにより使用されるインタフェース番号、および、各スイッチの消費電力に関する情報が示されている。
【００３７】
【表７】
2012119733.tif 000017
表７に、ＷＤＭ装置の設定を示す。各ＷＤＭにおいて使用されるインタフェース番号と各インタフェースに収容されるＶＬＡＮに関する情報、全インタフェース数、および装置の消費電力に関する情報が示されている。
【００３８】
【表８】
2012119733.tif 000018
表４に、中継器の設定を示す。伝送区間１の中継器電力は２００Ｗであり、伝送区間２の中継器電力は３００Ｗである。
【００３９】
上述の設定情報を用いて、ＶＬＡＮ１の消費電力を、図３のＶＬＡＮ毎の消費電力量の算出の手順に従って算出する。
【００４０】
・ＶＬＡＮ１の消費電力の算出について
（Ｓ１）開始：計算を開始する。
（Ｓ２）ネットワーク情報取得：ネットワーク運用管理システムから、ネットワーク情報を取得する。ここでは、表５〜８の情報を取得する。
（Ｓ４）対象ＶＬＡＮ選択：計算対象として、ここではＶＬＡＮ１を選択する。
（Ｓ５）対象ＶＬＡＮ使用装置抽出：対象として選択したＶＬＡＮ１に所属している通信装置を抽出する。ここでは、表５〜８の情報から、ＶＬＡＮ１として使用されている装置としては、スイッチ１〜４、６、８、９、１３、１４、およびＷＤＭ伝送装置１〜３が抽出される。
（Ｓ６）伝送装置の有無：上記で抽出した通信装置に、ＷＤＭ伝送装置が含まれているか確認する。上記において抽出した通信装置に、ＷＤＭ伝送装置が含まれていることを確認できたため、次のステップの消費電力の計算は、ＷＤＭ伝送装置を考慮した計算とする。
（Ｓ８）消費電力計算：ＷＤＭ伝送装置がある場合における、ＶＬＡＮ毎の消費電力量の計算を行う。
レイヤ２装置の消費電力について：
スイッチ１のＶＬＡＮ１の消費電力＝２０００Ｗ×（８００Ｍｂｐｓ／１００Ｇｂｐｓ）＝１６Ｗ
スイッチ２のＶＬＡＮ１の消費電力＝２０００Ｗ×（８００Ｍｂｐｓ／１００Ｇｂｐｓ）＝１６Ｗ
スイッチ３のＶＬＡＮ１の消費電力＝２０００Ｗ×（８００Ｍｂｐｓ／１００Ｇｂｐｓ）＝１６Ｗ
スイッチ４のＶＬＡＮ１の消費電力＝１５００Ｗ×（１２００Ｍｂｐｓ／８０Ｇｂｐｓ）＝２２．５Ｗ
スイッチ６のＶＬＡＮ１の消費電力＝１５００Ｗ×（１２００Ｍｂｐｓ／８０Ｇｂｐｓ）＝２２．５Ｗ
各スイッチ８、９、１３、１４のＶＬＡＮ１の消費電力＝１０００Ｗ×（８００Ｍｂｐｓ／４０Ｇｂｐｓ）＝２０Ｗ
【００４１】
ＷＤＭ伝送装置の消費電力について：ここでは、ＷＤＭ伝送装置の全てのライン側インタフェースの伝送速度は同一である。
ＷＤＭ１についてＶＬＡＮ１の消費電力＝３０００Ｗ×（１／４０）×（４００Ｍｂｐｓ／１０Ｇｂｐｓ）＝３Ｗ
ＷＤＭ２についてＶＬＡＮ１の消費電力＝３０００Ｗ×（１／４０）×（４００Ｍｂｐｓ／１０Ｇｂｐｓ）＝３Ｗ
ＷＤＭ３についてＶＬＡＮ１の消費電力＝３０００Ｗ×（１／４０）×（４００Ｍｂｐｓ／１０Ｇｂｐｓ）＝３Ｗ
【００４２】
伝送路の中継器の消費電力について：
伝送区間１の中継器電力＝２００Ｗ×（１／４０）×（４００Ｍｂｐｓ／１０Ｇｂｐｓ）＝０．２Ｗ
伝送区間２の中継器電力＝３００Ｗ×（１／４０）×（４００Ｍｂｐｓ／１０Ｇｂｐｓ）＝０．３Ｗ
【００４３】
各ＶＬＡＮについて、上記で求められた装置消費電力の和をとる。
ＶＬＡＮ１の消費電力＝１６＋１６＋１６＋２２．５＋２２．５＋２０×４＋３＋３＋３＋０．２＋０．３＝１８２．５Ｗ
【００４４】
（Ｓ９）計算結果出力：計算結果を出力する。
（Ｓ１０）終了
【００４５】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００４６】
１  通信部
２  ネットワーク情報保持部
３  消費電力計算部
４  計算結果出力部
【図１】
2012119733.tif 000019
【図２】
2012119733.tif 000020
【図３】
2012119733.tif 000021
【図４】
2012119733.tif 000022
【図５】
2012119733.tif 000023